(57)【要約】【課題】前面に配置された開閉式操作パネルの開いている時、閉じている時のいずれも発信手段は赤外線信号を加熱調理器上方に配置された換気装置の受信手段に受信させる事ができ、あらかじめ設定された時間になると加熱を自動的に停止するタイマ停止手段を用いて、加熱手段の加熱を止める場合にも、使用者の有無、立つ位置に関わらず発信手段は赤外線信号を換気装置の受信手段に受信させる事ができる事。【解決手段】換気装置３と通信を行う誘導加熱調理器１の発信手段２６、２７、３０を開閉式操作パネル２２が開いた状態で通信可能なもの２６、閉じた状態で通信可能なもの２７、天面操作表示部４０下に配置し機器の上方に赤外線信号を発信する第３の発信手段３０を備え、操作パネル２２の開閉、誘導加熱調理器１の前方の使用者の有無により信号の発信手段２６、２７、３０を切り替える事で、安定した通信が可能となる。【選択図】図４
2010025400.tif 000002
【特許請求の範囲】
【請求項１】
耐熱強化ガラスからなるトッププレートと、前記トッププレート下に配置され、前記トッププレート上に置かれた被加熱物を加熱する加熱手段と、機器の上面に配置された天面操作表示部と、機器前面に配置された開閉式操作パネルと、前記開閉式操作パネル上または、前記天面操作表示部上に配置された操作キーと、前記操作キーの操作に従って、前記加熱手段を制御する制御手段と、前記操作キーを操作して残時間を設定すると、設定した残時間経過後に前記加熱手段の加熱を停止するタイマ停止手段と、前記開閉式操作パネル内に配置され、前記開閉式操作パネルが開いている時に、機器の上方に赤外線信号を発信するよう配置された第１の発信手段と、前記開閉式操作パネル内に配置され、前記開閉式操作パネルが閉じている時に、機器の前方に赤外線信号を発信するよう配置された第２の発信手段と、前記天面操作表示部下に配置され、機器の上方に赤外線信号を発信する第３の発信手段を備え、前記制御手段は、前記天面操作表示部上方に配置され、前記第１の発信手段、前記第２の発信手段、前記第３の発信手段より発信した赤外線信号を受信する受信手段をもつ換気装置を制御する機能を持ち、前記制御手段は、前記操作キーの操作に従って前記加熱手段が加熱を開始する時に、前記第１の発信手段、第２の発信手段から前記換気装置が換気を始めるよう信号を発信し、操作キーの操作に従って前記加熱手段が加熱を停止する時に、前記第１の発信手段、第２の発信手段から前記換気装置が換気を止めるよう信号を発信し、前記タイマ停止手段により前記加熱手段が加熱を停止する時に、前記第３の発信手段から前記換気装置が換気を止めるよう信号を発信する加熱調理器。
【請求項２】
開閉式操作パネル上に換気装置の入、切、風量調節キーを備え、制御手段は、前記換気装置の入動作、風量調節動作を行う時は、第１の発信手段、第２の発信手段から前記換気装置が換気を始めるよう信号を発信し、切動作を行う場合は、第３の発信手段から前記換気装置が換気を止めるよう信号を発信する請求項１に記載の加熱調理器。
【請求項３】
あらかじめ決めたシーケンスに従って加熱手段の加熱動作を制御する自動調理手段を備え、前記自動調理手段のシーケンスを開始する時に、第１の発信手段、第２の発信手段から換気装置が換気を始めるよう信号を発信し、前記自動調理手段のシーケンスが終了し、自動で前記加熱手段の加熱を停止する時に、第３の発信手段から前記換気装置が換気を止めるよう信号を発信する請求項１または２に記載の加熱調理器。
【請求項４】
耐熱強化ガラスからなるトッププレートと、前記トッププレート下に配置され、前記トッププレート上に置かれた被加熱物を加熱する加熱手段と、機器の上面に配置された天面操作表示部と、機器前面に配置された開閉式操作パネルと、前記開閉式操作パネル上または、前記天面操作表示部上に配置された操作キーと前記操作キーの操作に従って、前記加熱手段を制御する制御手段と、前記操作キーを操作して残時間を設定すると、設定した残時間経過後に前記加熱手段の加熱を停止するタイマ停止手段と、前記天面操作表示部断面に垂直に光が入光されるよう前記トッププレートと同一面上、前記トッププレート端面に赤外線信号を発信するよう配置された発信手段を備え、前記制御手段は、前記トッププレート上方に配置され、前記発信手段より発信した赤外線信号を受信する受信手段をもつ換気装置を制御する機能を持ち、前記制御手段は、前記操作キーの操作に従って前記加熱手段が加熱を開始する時に、前記発信手段から前記換気装置が換気を始めるよう信号を発信し、操作キーの操作に従って前記加熱手段が加熱を停止する時に、前記発信手段から前記換気装置が換気を止めるよう信号を発信し、前記タイマ停止手段により前記加熱手段が加熱を停止する時に、前記発信手段から前記換気装置が換気を止めるよう信号を発信する加熱調理器。
【請求項５】
開閉式操作パネル上に換気装置の入、切、風量調節キーを備え、制御手段は、前記換気装置の入動作、風量調節動作を行う時は、発信手段から前記換気装置が換気を始めるよう信
号を発信し、切動作を行う場合は、前記発信手段から前記換気装置が換気を止めるよう信号を発信する請求項４に記載の加熱調理器。
【請求項６】
あらかじめ決めたシーケンスに従って加熱手段の加熱動作を制御する自動調理手段を備え、前記自動調理手段のシーケンスを開始する時に、発信手段から前記換気装置が換気を始めるよう信号を発信し、前記自動調理手段のシーケンスが終了し、自動で前記加熱手段の加熱を停止する時に、前記発信手段から前記換気装置が換気を止めるよう信号を発信する請求項４または５に記載の加熱調理器。
【発明の詳細な説明】
【技術分野】
【０００１】
本発明は、換気扇との通信用投光部を備えた加熱調理器に関する。
【背景技術】
【０００２】
従来、この種の加熱調理器において換気扇との通信用投光部を備えるものとしては、図１３に示すように、流し台のキャビネット１０１上部に加熱調理器１０２が設置され、この加熱調理器１０２に複数のコンロ１０３が設置されている。このコンロ１０３の上方に、換気扇１０４が配置されているものがある。
【０００３】
キャビネット１０１の前面の上部に、通信用のリモートコントロールスイッチ１０５が出し入れ可能に設けられている。このリモートコントロールスイッチ１０５には、赤外線の光信号を発する通信用投光部１０５ａ及び操作スイッチが設けられている。一方、上記換気扇１０４の前下部に、通信用受光部１０６が設けられている。
【０００４】
リモートコントロールスイッチ１０５を、図１３に示すのように前方へ突出させた状態において、使用者が当該リモートコントロールスイッチ１０５の操作スイッチを操作すると、通信用投光部１０５ａから赤外線の光信号が上方に向けて発せられる。そして、換気扇１０４の通信用受光部１０６にてその光信号を受信すると、その信号に応じて換気扇１０４の運転が制御される構成となっている（例えば、特許文献１参照）。
【０００５】
加熱調理器１０８の前面右側には、操作パネル１１４が設けられ、操作パネル１１４に配置された複数のスイッチ１１５の操作により、加熱手段１１０の制御を行う。
【特許文献１】特開平１０−０５７２６０号公報
【発明の開示】
【発明が解決しようとする課題】
【０００６】
しかしながら、前記従来の構成では、図１３に示す構成においては、リモートコントロールスイッチ１０５が図１３示すように前方へ突出させた状態で通信用投光部部１０５ａが光信号を発した場合は、光信号はキャビネット１０１に遮られる事なく換気扇１０４の通信用受光部１０６に到達するが、リモートコントロールスイッチ１０５が加熱調理器１０２本体に収められた状態で通信用投光部部１０５ａが光信号を発した場合は、光信号が加熱調理器１０２本体とキャビネット１０１に遮られて換気扇１０４の通信用受光部１０６に到達しないという課題を有していた。
【０００７】
本発明は、前記従来の課題を解決するもので、前面に配置された開閉式操作パネルの開いている時、閉じている時のいずれも発信手段は赤外線信号を加熱調理器上方に配置された換気装置の受信手段に受信させる事ができる。また、あらかじめ使用者が設定した時間になると加熱を自動的に停止するタイマ停止手段を用いて、加熱手段の加熱を止める場合にも、使用者の有無、立つ位置に関わらず加熱調理器の発信手段は赤外線信号を加熱調理器上方に配置された換気装置の受信手段に受信させる事ができる事から信頼性の高い赤外線信号の受け渡しが可能となる。
【０００８】
第３の発信手段は、第１、第２の発振手段を具備することでトッププレート上の障害物により赤外線信号が遮断されて通信不能となる場面が減少するので、赤外線ＬＥＤの数を減らす事ができるとした加熱調理器を提供することを目的とする。
【課題を解決するための手段】
【０００９】
本発明は、上記従来の課題を解決するために、本発明の加熱調理器は、耐熱強化ガラスからなるトッププレートと、前記トッププレート下に配置され、前記トッププレート上に置かれた被加熱物を加熱する加熱手段と、機器の上面に配置された天面操作表示部と、機器前面に配置された開閉式操作パネルと、前記開閉式操作パネル上または、前記天面操作表示部上に配置された操作キーと、前記操作キーの操作に従って、前記加熱手段を制御する制御手段と、前記操作キーを操作して残時間を設定すると、設定した残時間経過後に前記加熱手段の加熱を停止するタイマ停止手段と、前記開閉式操作パネル内に配置され、前記開閉式操作パネルが開いている時に、機器の上方に赤外線信号を発信するよう配置された第１の発信手段と、前記開閉式操作パネル内に配置され、前記開閉式操作パネルが閉じている時に、機器の前方に赤外線信号を発信するよう配置された第２の発信手段と、前記天面操作表示部下に配置され、機器の上方に赤外線信号を発信する第３の発信手段を備え、前記制御手段は、前記天面操作表示部上方に配置され、前記第１の発信手段、前記第２の発信手段、前記第３の発信手段より発信した赤外線信号を受信する受信手段をもつ換気装置を制御する機能を持ち、前記制御手段は、前記操作キーの操作に従って前記加熱手段が加熱を開始する時に、前記第１の発信手段、第２の発信手段から前記換気装置が換気を始めるよう信号を発信し、操作キーの操作に従って前記加熱手段が加熱を停止する時に、前記第１の発信手段、第２の発信手段から前記換気装置が換気を止めるよう信号を発信し、前記タイマ停止手段により前記加熱手段が加熱を停止する時に、前記第３の発信手段から前記換気装置が換気を止めるよう信号を発信する事で、前記開閉式操作パネルが開いている場合は、赤外線信号を上方に発して、前記換気装置に直接、赤外線信号を受信させ、前記開閉式操作パネルが閉じている場合は、赤外線信号を前方に発して、前記加熱調理器の前方にいる使用者や部屋の壁などの障害物に反射させて前記換気装置に赤外線信号を受信させ、前記タイマ停止手段により加熱を停止する際は、前記加熱調理器の前方に使用者がいない可能性が高い事から、前記天面操作表示部下から赤外線信号を上方に発して、前記換気装置に直接、赤外線信号を受信させるようにした事で、操作パネルの開閉状態、使用者の立つ位置に関わらず、信頼性の高い赤外線信号の受け渡しが可能となる。
【００１０】
前記第３の発信手段は、前記トッププレート上に鍋などの障害物がある場合は、前記換気装置へ十分な赤外線信号を送ることができないので、障害物を避けて複数の赤外線ＬＥＤを設ける必要があるが、前記加熱調理器の前方に使用者がいないと想定される時のみ前記第３の発信手段から赤外線信号を発信するので、障害物により前記換気装置に赤外線信号が届かない場面が減少する。よって、複数必要であった赤外線ＬＥＤの数を減らす事ができる。
【００１１】
また、発信手段を天面操作表示部端面に赤外線信号を発信するよう配置し、前記天面操作表示部端面は、前記発信手段の発信する赤外線が前記発信手段と反対の面で上方に反射するよう傾けて加工することで、前記発信手段から発信された赤外線は、前記トッププレート内を透過し、傾いた端面で反射して、前記加熱調理器上方に進み、前記換気装置の受信手段に直接赤外線信号を受信させる事で、操作パネルの開閉状態、使用者の立つ位置、トッププレート上の障害物の位置に関わらず、信頼性の高い赤外線信号の受け渡しが可能となる。
【発明の効果】
【００１２】
本発明の加熱調理器において、前面に配置された開閉式操作パネルの開いている時、閉じている時のいずれも発信手段は赤外線信号を加熱調理器上方に配置された換気装置の受信手段に受信させる事ができる。また、あらかじめ使用者が設定した時間になると加熱を自動的に停止するタイマ停止手段を用いて、加熱手段の加熱を止める場合にも、使用者の有無、立つ位置に関わらず加熱調理器の発信手段は赤外線信号を加熱調理器上方に配置された換気装置の受信手段に受信させる事ができる事から信頼性の高い赤外線信号の受け渡しが可能となる。
【００１３】
第３の発信手段は、第１、第２の発信手段の具備でトッププレート上の障害物により赤外線信号が遮断されて通信不能となる場面が減少するので、赤外線ＬＥＤの数を減らす事ができる。
【発明を実施するための最良の形態】
【００１４】
第１の発明は、耐熱強化ガラスからなるトッププレートと、前記トッププレート下に配置され、前記トッププレート上に置かれた被加熱物を加熱する加熱手段と、機器の上面に配置された天面操作表示部と、機器前面に配置された開閉式操作パネルと、前記開閉式操作パネル上または、前記天面操作表示部上に配置された操作キーと、前記操作キーの操作に従って、前記加熱手段を制御する制御手段と、前記操作キーを操作して残時間を設定すると、設定した残時間経過後に前記加熱手段の加熱を停止するタイマ停止手段と、前記開閉式操作パネル内に配置され、前記開閉式操作パネルが開いている時に、機器の上方に赤外線信号を発信するよう配置された第１の発信手段と、前記開閉式操作パネル内に配置され、前記開閉式操作パネルが閉じている時に、機器の前方に赤外線信号を発信するよう配置された第２の発信手段と、前記天面操作表示部下に配置され、機器の上方に赤外線信号を発信する第３の発信手段を備え、前記制御手段は、前記天面操作表示部上方に配置され、前記第１の発信手段、前記第２の発信手段、前記第３の発信手段より発信した赤外線信号を受信する受信手段をもつ換気装置を制御する機能を持ち、前記制御手段は、前記操作キーの操作に従って前記加熱手段が加熱を開始する時に、前記第１の発信手段、第２の発信手段から前記換気装置が換気を始めるよう信号を発信し、操作キーの操作に従って前記加熱手段が加熱を停止する時に、前記第１の発信手段、第２の発信手段から前記換気装置が換気を止めるよう信号を発信し、前記タイマ停止手段により前記加熱手段が加熱を停止する時に、前記第３の発信手段から前記換気装置が換気を止めるよう信号を発信する事を特徴とする。
【００１５】
上記の手段によれば、操作パネルが開いている時は、第１の発信手段の発した赤外線信号は、換気扇の受信手段に直接受信され、操作パネルが閉じている時は、第２の発信手段の発した赤外線信号が加熱調理器の前方に立つ使用者に反射して、換気扇の受信手段に受信され、操作パネルが閉じており且つ使用者が加熱調理器の前方にいないタイマ停止の時は、第３の発信手段の発した赤外線信号が天面操作表示部を通過して換気扇の受信手段に受信される。
【００１６】
第１の発信手段のみであれば、操作パネルが閉じている時に加熱調理器本体や加熱調理器の設置された流し台のキャビネットに遮られてしまうが、その際は、第２の発信手段により使用者に反射させた赤外線信号を換気扇の受信手段に受信させる事ができる。
【００１７】
更に、使用者が加熱調理器の前方にいない可能性の高いタイマ停止時は、第１、第２の発信手段でも、十分に換気扇の受信手段に赤外線信号が届かない場合があるため、第３の発信手段から赤外線信号を発信する事で、この場合も通信の信頼性が確保できる。
【００１８】
第３の発信手段のみで赤外線信号を発信すると、トッププレート上に置かれた鍋などが障害となり、赤外線信号が換気扇の受光手段に十分に届かない場合があるが、タイマ停止時以外は、第１、第２の発信手段より赤外線信号を発信する事で、トッププレート上の障害物の影響を受けず通信を行うことができる。
【００１９】
よって、加熱調理器の発信手段と換気扇の受信手段間の通信の信頼性が向上する。
【００２０】
第２の発明は、特に、第１の発明において、操作パネル上に換気装置の入、切、風量調節キーを備え、制御手段は、前記換気装置の入動作、風量調節動作を行う時は、第１の発
信手段、第２の発信手段から前記換気装置が換気を始めるよう信号を発信し、切動作を行う場合は、第３の発信手段から換気装置が換気を止めるよう信号を発信する事を特徴とする。
【００２１】
第３の発明は、特に、第１または第２の発明において、あらかじめ決めたシーケンスに従って加熱手段の加熱動作を制御する自動調理手段を備え、前記自動調理手段のシーケンスを開始する時に、第１の発信手段、第２の発信手段から換気装置が換気を始めるよう信号を発信し、前記自動調理手段のシーケンスが終了し、自動で前記加熱手段の加熱を停止する時に、第３の発信手段から換気装置が換気を止めるよう信号を発信する事を特徴とする。
【００２２】
第４の発明は、耐熱強化ガラスからなるトッププレートと、前記トッププレート下に配置され、前記トッププレート上に置かれた被加熱物を加熱する加熱手段と、機器の上面に配置された天面操作表示部と、機器前面に配置された開閉式操作パネルと、前記開閉式操作パネル上または、前記天面操作表示部上に配置された操作キーと前記操作キーの操作に従って、前記加熱手段を制御する制御手段と、前記操作キーを操作して残時間を設定すると、設定した残時間経過後に前記加熱手段の加熱を停止するタイマ停止手段と、前記天面操作表示部断面に垂直に光が入光されるよう前記トッププレートと同一面上、前記トッププレート端面に赤外線信号を発信するよう配置された発信手段を備え、前記制御手段は、前記天面操作表示部上方に配置され、前記発信手段より発信した赤外線信号を受信する受信手段をもつ換気装置を制御する機能を持ち、前記制御手段は、前記操作キーの操作に従って前記加熱手段が加熱を開始する時に、前記発信手段から前記換気装置が換気を始めるよう信号を発信し、操作キーの操作に従って前記加熱手段が加熱を停止する時に、前記発信手段から前記換気装置が換気を止めるよう信号を発信し、前記タイマ停止手段により前記加熱手段が加熱を停止する時に、前記発信手段から換気装置が換気を止めるよう信号を発信する。
【００２３】
上記の手段によれば、加熱調理器の発信手段と換気扇の受信手段の間で操作パネルの開閉や使用者の立つ位置、トッププレート上の障害物の位置の影響を受けず、通信を行う事ができる。
【００２４】
第５の発明は、特に、第４の発明において、操作パネル上に換気装置の入、切、風量調節キーを備え、制御手段は、前記換気装置の入動作、風量調節動作を行う時は、発信手段から前記換気装置が換気を始めるよう信号を発信し、切動作を行う場合は、前記発信手段から換気装置が換気を止めるよう信号を発信する事を特徴とする。
【００２５】
第６の発明は、特に、第４または第５の発明において、あらかじめ決めたシーケンスに従って加熱手段の加熱動作を制御する自動調理手段を備え、前記自動調理手段のシーケンスを開始する時に、発信手段から前記換気装置が換気を始めるよう信号を発信し、前記自動調理手段のシーケンスが終了し、自動で前記加熱手段の加熱を停止する時に、前記発信手段から前記換気装置が換気を止めるよう信号を発信する事を特徴とする。
【００２６】
以下、本発明の実施の形態について、図面を参照しながら説明する。なお、本実施の形態によって、本発明が限定されるものではない。
【００２７】
（実施の形態１）
本実施の形態を図１、図２、図３、図４、図５、図６、図７、図８、図９を用いて説明する。
【００２８】
図１は、本発明の加熱調理器である誘導加熱調理器と通信を行う換気扇の外観を示す。
【００２９】
誘導加熱調理器１は、キッチンのキャビネット２に組み込まれたビルトインタイプであり、この誘導加熱調理器１の上方に配置された換気装置３はレンジフード４と換気扇５、受信部６、換気扇操作部７からなる。
【００３０】
誘導加熱調理器１は、図２に示すように外郭９とその上部の板状のトッププレート１０と天面操作表示部４０により覆われている。トッププレート１０は、耐熱強化ガラスからなり、トッププレート１０上に鍋などの加熱物１１が置かれる。
【００３１】
トッププレート１０下方には、調理用の加熱手段を構成する左ＩＨ用の加熱コイル１２と、右ＩＨ用の加熱コイル１３、後ろＩＨ用の加熱コイル１４が配設されている。左右の両加熱コイル１２、１３の前方側天面操作表示部４０内には、左右の両加熱コイル１２、１３の加熱開始、加熱停止、火力の設定、残時間の設定、自動調理メニューの選択を行う天面スイッチ１６と、左右の両加熱コイル１２、１３の加熱の状態を表示する天面表示部１７及び第３の発信手段である赤外線ＬＥＤ３０が配置されている。
【００３２】
外郭９内の右側には、加熱コイル１２、１３、１４用のインバータ回路１８が配置されている。
【００３３】
トッププレート１０上には、加熱コイル１２、１３、１４に対応した円形の加熱物載置部１９、２０、２１が表示されている。
【００３４】
外郭９の前部の右側には、開閉可能な操作パネル２２が設けられている。操作パネル２２は、後ろのコイル１４の加熱開始、加熱停止、火力の設定、残時間の設定、自動調理メニューの選択を行う後ろスイッチ２３と、後ろの加熱コイル１４の加熱の状態を表示する後ろ表示部２４が配置されている。
【００３５】
操作パネル２２には、換気扇５の動作開始、動作停止、風量の設定を行う換気扇スイッチ２５も配置されている。
【００３６】
操作パネル２２は、閉じた状態では、図３に示すようにキャビネット２に収容されている。この状態で、操作パネル２２上部を押すと、操作パネル２２はその下端部を支点に手前に回転しながら、図４に示すようにキャビネット２前方に出っ張り、操作が可能になる。
【００３７】
操作パネル２２には、約９５０ｎｍの波長の赤外線を発光する赤外線ＬＥＤが複数配置される。後ろスイッチ２３と同一面上に配置された赤外線ＬＥＤを第１の発信手段２６、操作パネル２２が閉じた時に、垂直になる面上に配置された赤外線ＬＥＤを第２の発信手段２７とする。
【００３８】
図５に示すように、天面操作表示部４０内の天面スイッチ１６の下方には、スイッチ回路と表示回路が構成されたプリント基板２６がある。表示は、プリント基板２８上に配置された可視光ＬＥＤ２９が点灯すると、ＬＥＤの光が天面操作表示部４０を透過して、天面操作表示部４０に表示が現れる。プリント基板２８には、約９５０ｎｍの波長の赤外線ＬＥＤが配置され、この天面操作表示部４０下方に配置された赤外線ＬＥＤを第３の発信手段３０とする。
【００３９】
図６に本実施の形態のブロック図を示す。
【００４０】
天面スイッチ１６、天面操作部１７の制御は、天面制御部１５で行う。誘導加熱調理器
１全体の制御は制御部３１で行う。
【００４１】
誘導加熱調理器１が左ＩＨ用の加熱コイル１２の加熱を行う場合、使用者は、天面スイッチ１６で、加熱コイル１２の加熱開始の操作を行う。
【００４２】
天面制御部１５は、天面スイッチ１６の操作を検知すると、加熱コイル１２の加熱開始の操作が行われた事を制御部３１に知らせるとともに、天面表示部１７に加熱コイル１２の加熱の有無と火力を表示する。制御部３１は、天面制御部１５より加熱開始の情報を受け取ると、インバータ回路１８に左ＩＨ用の加熱コイル１２の加熱開始の指示を送り、インバータ回路１８が加熱コイル１２の加熱動作を行う。この時の左ＩＨ用の加熱コイル１２の火力はあらかじめ機器に設定している火力である。
【００４３】
使用者が天面スイッチ１６で火力を変更すると、天面制御部１５は変更された火力を制御部３１へ伝えると共に天面表示部１７に加熱コイル１２の火力を表示し、制御部３１はインバータ回路１８に設定された火力で加熱を行うよう指示し、インバータ回路１８は加熱コイル１２の火力制御を行う。
【００４４】
加熱コイル１２の加熱を停止する際は、使用者が天面スイッチ１６で左ＩＨ用の加熱コイル１２の加熱停止操作を行うと、天面制御部１５が制御部３１に操作内容を伝えると共に天面表示部１７に左ＩＨ用の加熱コイル１２の加熱停止を表示し、制御部３１はインバータ回路１８に加熱コイル１２の加熱停止を指示して、インバータ回路１８が加熱コイル１２の加熱を停止する。
【００４５】
制御部３１は、タイマ停止機能３２を有する。
【００４６】
使用者が天面スイッチ１６で、左ＩＨ用の加熱コイル１２の残時間の設定と行うと、天面制御部１５より制御部３１に残時間が伝えられると共に天面表示部１７に残時間を表示し、制御部３１は加熱コイル１２の加熱開始時から残時間のカウントダウンを行い、残時間が０になると、インバータ回路１８に加熱コイル１２の加熱停止を指示し、インバータ回路１８は加熱コイル１２の加熱を停止する。
【００４７】
また、制御部３１は、自動調理機能３３を有している。自動調理機能３３は、あらかじめ決められたシーケンスに従って加熱コイル１２の加熱開始、加熱停止、火力を制御し、シーケンスが全て終了すると、加熱を停止して、使用者に自動調理の終了を知らせる機能である。
【００４８】
自動調理機能３３を使用する場合は、使用者が天面スイッチ１６で、所望の自動調理メニューを選択し、自動調理メニューの開始操作を行うと、制御部３１に所望の自動調理メニューを伝えると共に天面表示部１７に左ＩＨ用の自動調理メニューを表示し、制御部３１はあらかじめ決められたシーケンスに従って、インバータ回路１８に加熱コイル１２の加熱開始、停止、火力を指示する。
【００４９】
インバータ回路１８は制御部３１に指示された動作に従って、加熱コイル１２の火力制御を行う。
【００５０】
制御部３１は、全てのシーケンスを終了させるとインバータ回路１８に加熱コイル１２の加熱停止を指示すると共に、天面制御部１５に所望の自動調理メニューの加熱を終了したことを伝え、天面制御部１５の天面表示部１７は、自動調理メニューの終了を表示して、使用者に知らせる。
【００５１】
以上の動作を行う誘導加熱調理器の第１の発信手段２６、第２の発信手段２７、第３の発信手段３０は、換気装置３の受信部６に向けて赤外線信号を発信する。発信する赤外線信号は、換気扇５の動作開始、動作停止、風量を指示するものであり、それぞれの信号コードは誘導加熱調理器１と換気装置３の双方で共通のコードを有している。
【００５２】
換気装置３は、受信部６より受け取った赤外線信号を換気扇制御部８に伝え、換気扇５の動作開始、停止、風量の制御を行う。また、換気装置３が持つ換気扇操作部７の操作によっても換気扇５の動作開始、停止、風量の制御を行う。
【００５３】
誘導加熱調理器１の制御３１部は、左右後ろＩＨ用の加熱コイル１２、１３、１４のいずれかが加熱を開始するか、使用者が換気扇スイッチ２５で、換気扇５の動作開始の操作を行った場合は、操作パネル２２へ第１の発信手段２６、第２の発信手段２７から換気装置３の受信部６へ向けて換気扇５の動作開始の赤外線信号を発信するよう指示する。操作パネル２２は、第１の発信手段２６、第２の発信手段２７から換気扇５の動作開始の信号コードを発信する。
【００５４】
図７のように操作パネル２２が閉じた状態では、第１の発信手段２６より発せられた赤外線が、操作した使用者の体に反射して、換気装置３の受信部６へ伝わり、図８のように操作パネル２２が開いた状態でも、第２の発信手段２７より発せられた赤外線は、操作した使用者の体に反射して換気装置３の受信部６へ伝わる。
【００５５】
換気装置３の換気扇制御部８は、受信部６より受け取った赤外線信号の指示に従って換気扇５を動作させるので、換気扇５は動作を開始する。
【００５６】
左右後ろＩＨ用の加熱コイル１２、１３、１４の全ての加熱を停止するか、使用者が換気扇スイッチ２５で、換気扇５の動作停止の操作を行った場合は、操作パネル２２へ第１の発信手段２６、第２の発信手段から換気装置３の受信部６へ向けて換気扇５の動作停止の赤外線信号を発信するよう指示し、操作パネル２２は、第１の発信手段２６、第２の発信手段から換気扇５の動作停止の信号コードを発信する。
【００５７】
換気装置３の換気扇制御部８は、受信部６より受け取った赤外線信号の指示に従って換気扇５を動作させるので、換気扇５は動作を停止する。
【００５８】
ただし、タイマ停止機能３２を使用して加熱を停止する場合、または自動調理機能３３を使用して加熱を停止する場合は、第３の発信手段３０より赤外線信号を発信する。
【００５９】
制御部３１は、タイマの残時間が０になり、加熱の停止を行う時、または、あらかじめ決められたシーケンスが全て終了し、加熱の停止を行う時は、天面制御部１５に第３の発信手段３０より換気扇５の動作停止の赤外線信号を発信するよう指示をする。天面制御部１５は、第３の発信手段３０から換気扇５の動作停止の信号コードを発信する。
【００６０】
図９のように、第３の発信手段３０より発せられた赤外線は、換気装置３の受信部６へ直接伝わる。換気装置３の換気扇制御部８は、受信部６より受け取った赤外線信号の指示に従って換気扇５を動作させるので、換気扇５は動作を停止する。
【００６１】
この様に誘導加熱調理器１と換気装置３の間で赤外線を使った通信を行う場合、使用者の操作により換気扇５の動作の開始、停止を行う場合は、第１の発信手段２６、第２の発信手段２７で発信を行い、使用者に赤外線信号を反射させて、換気扇５の受信部６に赤外線信号を送り、制御部が自動的に換気扇の動作の停止を行う場合は、使用者が誘導加熱調理器の前にいない事が想定されるため、第３の発信手段３０で、受信部６に直接、赤外線
信号を送る。これにより、使用者が誘導加熱調理器１の前にいる場合は、トッププレート１０上に置いている鍋１１などの障害物で赤外線信号が遮断される事なく、安定した通信が可能となる。また、誘導加熱調理器１の前に使用者がいない場合は、トッププレート１０上に置いている鍋１１などの障害物の影響を受ける可能性があるが、第１の発信手段２６もしくは第２の発信手段２７で通信を行う場合に比べて、その危険性は格段に減少し、より安定した通信が可能となる。そのため、第３の発信手段３０は、障害物を避けるために赤外線ＬＥＤが複数個必要であるが、本実施の形態では、第３の発信手段は１つでも通信可能であり、使用する赤外線ＬＥＤの数を減らす事ができる。
【００６２】
尚、本実施の形態では、天面操作表示部４０の詳細構成は図示していないが、少なくとも第３の発信手段３０の直上部が、赤外線を透過する材料例えば樹脂、シート、ガラス等で構成されていれば、前記した効果は得られる。
【００６３】
（実施の形態２）
本実施の形態を図１、図２、図１０、図１１、図１２を用いて説明する。
【００６４】
図１、図２は、実施の形態１と同様である。
【００６５】
図１０に第４の発信手段３４の形態を示す。
【００６６】
第４の発信手段３４は、トッププレート１０後方端面に配置された赤外線ＬＥＤからなり、トッププレート１０と水平に赤外線を発光するようトッププレート１０と同一面上に横向きに配置する。第４の発信手段３４より発信された赤外線は、トッププレート１０内部を天面操作表示部４０前方端面に向かった直線で進む。
【００６７】
天面操作表示部４０前方端面は、第４の発信手段３４より発信され、直進してきた赤外線を天面操作表示部４０上方へ反射するよう赤外線に対して、鈍角に加工されている。
【００６８】
図１１に本実施の形態のブロック図を示す。
【００６９】
天面スイッチ１６、天面操作部１７の制御は、天面制御部１５で行う。誘導加熱調理器１全体の制御は制御部３１で行う。第４の発信手段３４の制御は、通信制御部３５で行う。
【００７０】
誘導加熱調理器１が左ＩＨ用の加熱コイル１２の加熱を行う場合、使用者は、天面スイッチ１６で、加熱コイル１２の加熱開始の操作を行う。
【００７１】
天面制御部１５は、天面スイッチ１６の操作を検知すると、加熱コイル１２の加熱開始の操作が行われた事を制御部３１に知らせるとともに、天面表示部１７に加熱コイル１２の加熱の有無と火力を表示する。制御部３１は、天面制御部１５より加熱開始の情報を受け取ると、インバータ回路１８に左ＩＨ用の加熱コイル１２の加熱開始の指示を送り、インバータ回路１８が加熱コイル１２の加熱動作を行う。この時の左ＩＨ用の加熱コイル１２の火力はあらかじめ機器に設定している火力である。
【００７２】
使用者が天面スイッチ１６で火力を変更すると、天面制御部１５は変更された火力を制御部３１へ伝えると共に天面表示部１７に加熱コイル１２の火力を表示し、制御部３１はインバータ回路１８に設定された火力で加熱を行うよう指示し、インバータ回路１８は加熱コイル１２の火力制御を行う。
【００７３】
加熱コイル１２の加熱を停止する際は、使用者が天面スイッチ１６で左ＩＨ用の加熱コ
イル１２の加熱停止操作を行うと、天面制御部１５が制御部３１に操作内容を伝えると共に天面表示部１７に左ＩＨ用の加熱コイル１２の加熱停止を表示し、制御部３１はインバータ回路１８に加熱コイル１２の加熱停止を指示して、インバータ回路１８が加熱コイル１２の加熱を停止する。
【００７４】
制御部３１は、タイマ停止機能３２を有し、使用者が天面スイッチ１６で、左ＩＨ用の加熱コイル１２の残時間の設定と行うと、天面制御部１５より制御部３１に残時間が伝えられると共に天面表示部１７に残時間を表示し、制御部３１は加熱コイル１２の加熱開始時から残時間のカウントダウンを行い、残時間が０になると、インバータ回路１８に加熱コイル１２の加熱停止を指示し、インバータ回路１８は加熱コイル１２の加熱を停止する。
【００７５】
また、制御部３１は、自動調理機能３３を有している。自動調理機能３３は、あらかじめ決められたシーケンスに従って加熱コイル１２の加熱開始、加熱停止、火力を制御し、シーケンスが全て終了すると、加熱を停止して、使用者に自動調理の終了を知らせる機能である。
【００７６】
自動調理機能３３を使用する場合は、使用者が天面スイッチ１６で、所望の自動調理メニューを選択し、自動調理メニューの開始操作を行うと、制御部３１に所望の自動調理メニューを伝えると共に天面表示部１７に左ＩＨ用の自動調理メニューを表示し、制御部３１はあらかじめ決められたシーケンスに従って、インバータ回路１８に加熱コイル１２の加熱開始、停止、火力を指示する。
【００７７】
インバータ回路１８は制御部３１に指示された動作に従って、加熱コイル１２の火力制御を行う。
【００７８】
制御部３１は、全てのシーケンスを終了させるとインバータ回路１８に加熱コイル１２の加熱停止を指示すると共に、天面制御部１５に所望の自動調理メニューの加熱を終了したことを伝え、天面制御部１５の天面表示部１７は、自動調理メニューの終了を表示して、使用者に知らせる。
【００７９】
以上の動作を行う誘導加熱調理器の第４の発信手段３４は、換気装置３の受信部６に向けて赤外線信号を発信する。発信する赤外線信号は、換気扇５の動作開始、動作停止、風量を指示するものであり、それぞれの信号コードは誘導加熱調理器１と換気装置３の双方で共通のコードを有している。
【００８０】
換気装置３は、受信部６より受け取った赤外線信号を換気扇制御部８に伝え、換気扇５の動作開始、停止、風量の制御を行う。また、換気装置３が持つ換気扇操作部７の操作によっても換気扇５の動作開始、停止、風量の制御を行う。
【００８１】
誘導加熱調理器１の制御３１部は、左右後ろＩＨ用の加熱コイル１２、１３、１４のいずれかが加熱を開始するか、使用者が換気扇スイッチ２５で、換気扇５の動作開始の操作を行った場合は、通信制御部３５へ第４の発信手段３４から換気装置３の受信部６へ向けて換気扇５の動作開始の赤外線信号を発信するよう指示する。通信制御部３５は、第４の発信手段３４から天面操作表示部４０の前方端面へ向けて動作開始の信号コードを発信する。発信された赤外線は、天面操作表示部４０前方端面で反射して天面操作表示部４０へ方向を変え、換気扇５の受信部６で受信される。
【００８２】
左右後ろＩＨ用の加熱コイル１２、１３、１４の全ての加熱を停止するか、使用者が換気扇スイッチ２５で、換気扇５の動作停止の操作を行った事を制御部１が検知した場合は
、通せ印性魚部３５へ第４の発信手段３４から換気装置３の受信部６へ向けて換気扇５の動作停止の赤外線信号を発信するよう指示し、通信制御部３５は、第４の発信手段３５から換気扇５の動作停止の信号コードを発信する。
【００８３】
換気装置３の換気扇制御部８は、受信部６で受け取った赤外線信号の指示に従って換気扇５を動作させるので、換気扇５は動作を停止する。
【００８４】
タイマ停止機能３２を使用して加熱を停止する場合、または自動調理機能３３を使用して加熱を停止する場合も同様である。
【００８５】
図１２のように操作パネル２２の開閉、使用者の有無に関わらず、第４の発信手段３４より発せられた赤外線は、天面操作表示部４０前方端面で天面操作表示部４０上方へ反射して、換気装置３の受信部６へ伝わる。換気装置３の換気扇制御部８は、受信部６より受け取った赤外線信号の指示に従って換気扇５を動作させるので、換気扇５は動作を停止する。
【００８６】
この様に誘導加熱調理器１と換気装置３の間で赤外線を使った通信を行う場合、使用者の操作により換気扇５の動作の開始、停止を行う場合、制御部３１が自動的に換気扇５の動作の停止を行う場合のいずれも第４の発信手段３４を用いる。
【００８７】
第４の発信手段３４は、トッププレート１０後方端面から前方端面に赤外線を発信し、赤外線は、天面操作表示部４０前方端面で上方へ方向を変えて発信されるので、操作パネル２２の開閉、使用者の有無、トッププレート１０上の障害物の有無に関わらず、赤外線信号を受信部６に届ける事ができ、安定した通信が可能となる。また、障害物を避ける必要がないので、使用する赤外線ＬＥＤの数を減らす事ができる。
【００８８】
尚、本実施の形態では、天面操作表示部４０の詳細構成は図示していないが、少なくとも天面操作表示部４０の前方端面部が、赤外線を透過する材料例えば樹脂、シート、ガラス等で構成されていれば、前記した効果は得られる。
【産業上の利用可能性】
【００８９】
本発明の加熱調理器は、赤外線通信を行う加熱調理器以外の加熱調理器に利用できる。赤外線以外の波長の光や電波を媒体とした通信や、超音波通信での利用も可能である。
【図面の簡単な説明】
【００９０】
【図１】本発明の実施の形態１における加熱調理器と換気扇の外観を示す図
【図２】本発明の実施の形態１における加熱調理器の構造図
【図３】本発明の実施の形態１における閉じた状態の操作パネル構造図
【図４】本発明の実施の形態１における開いた状態の操作パネル構造図
【図５】本発明の実施の形態１における第３の発信手段構造図
【図６】本発明の実施の形態１におけるシステムブロック図
【図７】本発明の実施の形態１における第１の発信手段での通信経路を示す図
【図８】本発明の実施の形態１における第２の発信手段での通信経路を示す図
【図９】本発明の実施の形態１における第３の発信手段での通信経路を示す図
【図１０】本発明の実施の形態２における第４の発信手段構造図
【図１１】本発明の実施の形態２におけるシステムブロック図
【図１２】本発明の実施の形態１における第４の発信手段での通信経路を示す図
【図１３】従来例の加熱調理器と換気扇の外観を示す図
【符号の説明】
【００９１】
１  誘導加熱調理器（加熱調理器）
３  換気装置
６  受信部
１０  トッププレート
２２  開閉式操作パネル
２６  第１の発信手段
２７  第２の発信手段
３０  第３の発信手段
３４  第４の発信手段
４０  天面操作表示部
【図６】
2010025400.tif 000003
【図７】
2010025400.tif 000004
【図８】
2010025400.tif 000005
【図９】
2010025400.tif 000006
【図１０】
2010025400.tif 000007
【図１１】
2010025400.tif 000008
【図１２】
2010025400.tif 000009
【図１】
2010025400.tif 000010
【図２】
2010025400.tif 000011
【図３】
2010025400.tif 000012
【図４】
2010025400.tif 000013
【図５】
2010025400.tif 000014
【図１３】
2010025400.tif 000015